(57)【特許請求の範囲】
【請求項１】
堆積した穀物層の表面層側に基端側が位置し且つ前記穀物層の深層側に先端側が位置するように配設され、この先端側の外周部に多数の通気孔が形成された筒状体を設け、この筒状体の基端側にファン付きモータを取り付ける穀物の簡易送風装置において、前記ファン付きモータを前記筒状体の基端側に対して着脱可能に接続させる連結筒体を前記ファン付きモータに設け、前記筒状体の前記多数の通気孔の開放面域を調整可能な筒状シャッタ部材を前記筒状体に軸方向移動可能に嵌装して設けたことを特徴とする穀物の簡易送風装置。
【請求項２】
堆積した穀物層の表面層側に基端側が位置し且つ前記穀物層の深層側に先端側が位置するように配設され、この先端側の外周部に多数の通気孔が形成された筒状体を設け、この筒状体の基端側にファン付きモータを取り付ける穀物の簡易送風装置において、前記ファン付きモータを前記筒状体の基端側に対して着脱可能に接続させる連結筒体を前記ファン付きモータに設け、前記筒状体は、基端側の第１筒状部材と、外周部に多数の通気孔が形成され且つ前記第１筒状部材に対してスプライン結合して軸方向移動可能な先端側の第２筒状部材とからなることを特徴とする穀物の簡易送風装置。
【発明の詳細な説明】
【０００１】
【発明の属する技術分野】
この発明は、穀物の簡易送風装置に係り、特に穀物の損傷を防止するとともに筒状体の取り扱い（ハンドリング）を簡便とする穀物の簡易送風装置に関する。
【０００２】
【従来の技術】
収穫した穀物としての籾を保管する籾蔵での乾燥籾の冷却等においては、一般的に、小型の送風装置が利用されている。この小型の送風装置は、例えば、堆積した穀物層の表面層側に基端側（上側）が位置し且つ穀物層の深層側に先端側（下側）が位置するように配設され、この先端側の外周部に多数の通気孔が形成された筒状体を設け、この筒状体の基端側に小型のファン付きモータを予め一体的に組み付けて構成されているものがあり、この場合に、この小型のファン付きモータの駆動により、筒状体内から通気孔を経て穀物層内に送風を行ったり、逆に、穀物層内の空気を通気孔から筒状体内に吸引することで、穀物のムレを防止している。
【０００３】
このような穀物の簡易送風装置としては、例えば、実用新案登録第２５０００６８号公報、特許第３０４２９８８号公報に開示されている。実用新案登録第２５０００６８号公報に記載のものは、先端側に複数の通気孔が形成された筒体と、この筒体の先端側外周に螺旋状の突起を設け、筒体と一体的に送風機を設けたものである。特許第３０４２９８８号公報に記載のものは、堆積した穀物層の表面層側に基端側が位置し且つ穀物層の深層側に先端側が位置するように配設され、この先端側の外周部に多数の通気孔が形成された筒状体を設け、この筒状体の基端部には穀物層内に負圧を生じさせて穀物内の空気を吸引するブロワを設け、また、筒状体の通気孔の開口面積を基端側から先端側に向かって大きく設定したものである。
【０００４】
【発明が解決しようとする課題】
ところが、従来、穀物の簡易送風装置あっては、ファン付きモータが小型であることから、穀物の冷却やムレの防止をする目的であり、よって、穀物を乾燥するだけの送風能力がなく、また、通気孔の開口面積が所定に固定して設定されているので、例えば、穀物としての大豆をグレンバック内に保管した場合に、このグレンバック内の大豆の量が少な目のときに、筒状体の上側に形成された各通気孔が大豆層の上方で露出してしまい、筒状体内から通気孔を経た風が、大豆層に至らずにグレンバックを通過して直接外部に漏れてしまい、従って、送風ロス（損失）が多くなり、乾燥の遅れが生ずるという不都合があった。
【０００５】
また、送風能力が大きな大型のファン付きモータを筒状体の基端側に予め一体的に組み付けた場合には、重量等でバランスが悪く、その大型のファン付きモータの組み付けに手間取るという不都合があるとともに、筒状体の取り扱い（ハンドリング）が悪くなって、筒状体をグレンバックの大豆層に差し込むのに手間がかかったり、このときに、大豆を損傷させてしまうという不都合があった。
【０００６】
【課題を解決するための手段】
そこで、この発明は、上述の不都合を除去するために、堆積した穀物層の表面層側に基端側が位置し且つ前記穀物層の深層側に先端側が位置するように配設され、この先端側の外周部に多数の通気孔が形成された筒状体を設け、この筒状体の基端側にファン付きモータを取り付ける穀物の簡易送風装置において、前記ファン付きモータを前記筒状体の基端側に対して着脱可能に接続させる連結筒体を前記ファン付きモータに設け、前記筒状体の前記多数の通気孔の開放面域を調整可能な筒状シャッタ部材を前記筒状体に軸方向移動可能に嵌装して設けたことを特徴とする。
【０００７】
【発明の実施の形態】
この発明は、先ず、ファン付きモータが取り付けられていない筒状体の先端側を上方から穀物層に徐々に差し込むと、このとき、筒状体にはファン付きモータが取り付けられていないことから、筒状体の取り扱い（ハンドリング）を簡便とし、よって、筒状体を穀物層に円滑に差し込ませて、穀物が損傷するのを防止し、そして、この筒状体の基端側に連結筒体によってファン付きモータを着脱可能に取り付けることから、このファン付きモータの取り付けを簡便に行わせることができ、さらに、このファン付きモータを駆動すると、筒状体内から穀物層内に送風が行われ、このとき、穀物の量が少な目のときには、筒状シャッタ部材を軸方向移動させ、筒状体の各通気孔が大豆層の上方に露出しないようにして、筒状体内から通気孔を経た風を穀物層内に確実に送り込み、これにより、送風ロス（損失）を少なくし、乾燥の遅れを防止することができる。
【０００８】
【実施例】
以下図面に基づいてこの発明の実施例を詳細且つ具体的に説明する。図１〜５は、この発明の第１実施例を示すものである。図１において、２は穀物の簡易送風装置である。この簡易送風装置２は、本体となる筒状体４と、この筒状体４の基端側（上側）に連結されるファン付きモータ６と、この筒状体４の先端側（下側）に連結される先細り部８と、この筒状体４の先端側の外周面に固定されたスクリュリード１０とを有している。
【０００９】
筒状体４は、所定長さＬ１で且つ所定外径Ｄ１で形成され、また、内部で軸方向に貫通する筒体通気路１２を形成している。この筒状体４には、基端側の端部位の外周面に、軸方向に対して直交する径方向に指向してハンドル１４・１４が固定され、また、先端側の端面４Ａから基端側に向かって外周部に所定長さ（パンチング部開放部分）Ｌ２の間において多数の通気孔（パンチング）１６が形成されている。この通気孔１６は、所定の開口面積で夫々形成されている。
【００１０】
ファン付きモータ６は、２００ワット以上の容量のものであり、該ファン付きモータ６と一体的に設けられた連結機構１８によって筒状体４の基端側の端部位に着脱可能に設けられる。この連結機構１８は、筒状体４の基端側の端部位の外周面に連結用外周ねじ２０を形成し、この連結用外周ねじ２０に連結筒体２２の内周面に形成した筒体内周ねじ２４を螺着し、連結筒体２２にボルト用切欠部２６を形成し、また、このボルト用切欠部２６に対応して筒状体４には連結用ボルトねじ穴２８を形成し、外方からの連結用蝶ボルト３０をボルト用切欠部２６から連結用ボルトねじ穴２８に螺着することで、ファン付きモータ６を筒状体４の基端側の端部位に固定させるものである。
【００１１】
このファン付きモータ６には、図３、４に示す如く、電源用部品３２が接続される。この電源用部品３２は、スイッチ３４が付いている電源コード３６と、この電源コード３６のファン付きモータ６側のモータリード線３８と、この電源コード３６の電源側の電源コネクタ４０とからなる。スイッチ３４は、サーマル付きの押しボタンスイッチであり、ファン付きモータ６の焼損を防止するものである。電源コード３６のファン側コード部３６Ａとモータリード線３８とは、ファン側カプラ４２によって接続されている。このファン側カプラ４２は、モータリード線３８に接続した第１ファン側接続部４２−１と、この第１ファン側接続部４２−１に対して結合・離脱可能な第２ファン側接続部４２−２とからなる。電源コード３６の電源側コード部３６Ｂと電源コネクタ４０のコネクタ側コード４０Ａとは、電源側カプラ４４によって接続されている。この電源側カプラ４４は、電源コネクタ４０のコネクタ側コード４０Ａに接続した第１電源側接続部４４−１と、この第１電源側接続部４４−１に対して結合・離脱可能な第２電源側接続部４４−２とからなる。
【００１２】
先細り部８は、先端側に円錐形状に突出して形成されて筒状体４の先端側の端面４Ａに固定され、筒状体４が穀物層内に入り易くする機能を有するものである。
【００１３】
スクリュリード１０は、筒状体４の外径Ｄ１よりも大きく、所定の外径Ｄ２で且つ所定長さＬ３で形成され、筒状体４の先端側の端部位の外周面に固定されている。
【００１４】
また、筒状体４の中央部位には、筒状シャッタ部材４６が軸方向移動可能に嵌装して設けられる。この筒状シャッタ部材４６は、所定長さＬ３で且つ筒状体４４の外径Ｄ１よりも大きな外径Ｄ３に形成されている。この筒状シャッタ部材４６の外周部には、軸方向に所定長さＬ４のボルト用溝４８が形成されている。
【００１５】
更に、筒状体４の略中間部位には、筒状シャッタ部材４６のボルト用溝４８に対応して調整用ボルトねじ穴５０が形成されている。この調整用ボルトねじ穴５０には、外方からボルト用溝４８を経て調整用蝶ボルト５２が螺着される。これにより、筒状シャッタ部材４６は、調整幅としての所定長さＬ５で軸方向移動して、複数の通気孔１６の開放面域を調整可能、つまり、開放する通気孔１６の数を増減調整するものである。
【００１６】
この筒状シャッタ部材４６の外周面には、フック５４・５４が固定されている。
【００１７】
このように構成された簡易送風装置２は、図５に示す如く、例えば、収穫した穀物としての大豆を収納して保管するグレンバック５６内に、このグレンバック５６の上側の開口部５６Ａに上方から差し込まれて使用され、数日間で大豆を乾燥するものである。
【００１８】
次に、この第１実施例の作用を説明する。
【００１９】
先ず、収穫した穀物としての大豆を、グレンバック５６内に、例えば、最大量で８００〜１０００Ｋｇ程度入れ、そして、ファン付きモータ６を取り付けていない筒状体４をグレンバック５６の上側の開口部５６Ａの中央付近に立てて、ハンドル１４・１４をゆっくり回して、この筒状体４の先端側を、先細り部８及びスクリュリード１０によってグレンバック５６内の大豆層中に徐々に差し込んで行く。これにより、筒状体４は、グレンバック５６内において、堆積した大豆層の表面層側（上側）に基端側が位置し且つ大豆層の深層側（底側）に先端側が位置するように配設される。このとき、筒状体４にはファン付きモータ６が取り付けられていないので、筒状体４の操作性等の取り扱い（ハンドリング）が簡便となり、よって、筒状体４を大豆層に円滑に差し込ませて、大豆が損傷するのを防止することができる。
【００２０】
そして、ファン付きモータ６に取り付けられた連結筒体２２を連結用蝶ボルト３０で筒状体４に固定することで、ファン付きモータ６を筒状体４の上側の基端側に取り付ける。このとき、ファン付きモータ６は、連結筒体２２によって容易に筒状体４に連結される。
【００２１】
次いで、ファン付きモータ６には、図３に示す電源用部品３２を接続し、電源を連絡する。
【００２２】
そして、スイッチ３４をオンにすると、ファン付きモータ６が駆動し、このファン付きモータ６側から筒体通気路１２及び通気孔１６を経て送風が行われ、大豆の初期水分が１６〜１８％であるが、数日間かけて、その水分が１４〜１５％になるまで、ゆっくり常温で大豆を乾燥する。
【００２３】
ところで、グレンバック５６内の大豆の量が少な目の場合には、図２に示す如く、筒状シャッタ部材４６を軸方向移動させて所定長さＬ５を短く調整すれば、通気孔１６の開放面域を小さく、つまり、上側の通気孔１６を筒状シャッタ部材４６で覆って、大豆の量の合わせて開放する通気孔１６の数を減少調整し、これにより、筒状体４の通気孔１６が大豆層の上方から露出することをなくし、風が直接外部に漏れるのを防止することができる。
【００２４】
この結果、先ず、ファン付きモータ６が取り付けられていない筒状体４の先端側を上方から大豆層に徐々に差し込むと、このとき、筒状体４にはファン付きモータ６が取り付けられていないことから、筒状体４の操作性等の取り扱い（ハンドリング）を簡便とし、よって、筒状体４を大豆層に円滑に差し込ませて、大豆が損傷するのを防止し、そして、この筒状体４の基端側に連結筒体２２によってファン付きモータ６を着脱可能に取り付けることから、このファン付きモータ６の取り付けを簡便に行わせることができ、さらに、このファン付きモータ６を駆動すると、筒状体４内から大豆層内に送風が行われ、このとき、大豆層が少な目のときには、筒状シャッタ部材４６を軸方向移動させ、筒状体４の各通気孔１６が大豆層の上方に露出しないようにして、筒状体４内から通気孔１６を経た風を大豆層内に確実に送り、これにより、送風ロス（損失）を少なくし、乾燥の遅れを防止することができる。
【００２５】
図６は、この発明の第２実施例を示すものである。
【００２６】
以下の実施例においては、上述の第１実施例と同一機能を果たす箇所には同一符号を付して説明する。
【００２７】
この第２実施例の特徴とするところは、以下の点にある。即ち、筒状体４は、基端側で所定外径Ｄ５の上側筒部４Ａと、先端側で前記上側筒部４Ａの内周面に嵌合して前記外径Ｄ５よりも小さな内径Ｄ６の下側筒部４Ｂとから構成される。この上側筒部４Ａと下側筒部４Ｂとは、例えば、上側筒部４Ａの内側スプライン６２と下側筒部４Ｂの外側スプライン６４とからなるスプライン部６６で結合されて軸方向移動可能に組み付けられるとともに、固定ボルト６８によってその相対的な軸方向移動が停止されて固定されるものである。この固定ボルト６８は、上側筒部４Ａと下側筒部４Ｂとに径方向に形成したボルトねじ孔（図示せず）に螺着されるものである。
【００２８】
この第２実施例の構成によれば、上述の第１実施例と同様の作用効果を奏するとともに、筒状体４を２分割することができ、搬送時等で、その取り扱いをさらに簡便にすることができる。
【００２９】
図７は、この発明の第３実施例を示すものである。
【００３０】
この第３実施例の特徴とするところは、以下の点にある。即ち、筒状体４の先端側の外周面に固定したスクリュリード１０には、径方向に指向して先端に開口する連絡通気路７２を形成するとともに、連絡通気路７２に連通して複数の上側通気孔７４Ａ及び複数の下側通気孔７４Ｂを形成した。
【００３１】
この第３実施例の構成によれば、スクリュリード１０が常に穀物層内に位置していることから、筒体通気路１２から連絡通気路７２及び上側通気孔７４Ａ・下側通気孔７４Ｂを経て、風を常に穀物層内に送り込むことができ、乾燥を良好とすることができる。
【００３２】
【発明の効果】
以上詳細な説明から明らかなようにこの発明によれば、ファン付きモータを筒状体の基端側に対して着脱可能に接続させる連結筒体をファン付きモータに設け、筒状体の多数の通気孔の開放面域を調整可能な筒状シャッタ部材を筒状体に軸方向移動可能に嵌装して設けたことにより、筒状体の取り扱い（ハンドリング）を簡便とし、よって、筒状体を穀物層に円滑に差し込ませて、穀物が損傷するのを防止し、また、この筒状体の基端側に連結筒体によってファン付きモータを着脱可能に取り付けることから、このファン付きモータの取り付けを簡便に行わせることができ、さらに、穀物の量が少な目のときには、筒状シャッタ部材を軸方向移動させ、筒状体の各通気孔が大豆層の上方に露出しないようにして、筒状体内から通気孔を経た風を穀物層に確実に送り込み、これにより、送風ロス（損失）を少なくし、乾燥の遅れを防止し得る。
【図面の簡単な説明】
【図１】簡易送風装置の構成図である。
【図２】穀物量が少な目のときの簡易送風装置の使用状態を示す構成図である。
【図３】電源系部品の平面図である。
【図４】電源系部品の接続状態を示す配線図である。
【図５】簡易乾燥装置の使用状態の側面図である。
【図６】第２実施例における簡易送風装置の構成図である。
【図７】第３実施例における筒状体の一部断面図である。
【符号の説明】
２  簡易送風装置
４  筒状体
６  ファン付きモータ
８  先細り部
１０  スクリュリード
１２  筒体通気路
１６  通気孔
２２  連結筒体
３２  電源用部品
３４  スイッチ
４６  筒状シャッタ部材
５６  グレンバック
【図１】
0004257692.tif 000002
【図２】
0004257692.tif 000003
【図３】
0004257692.tif 000004
【図４】
0004257692.tif 000005
【図５】
0004257692.tif 000006
【図６】
0004257692.tif 000007
【図７】
0004257692.tif 000008